【手続補正書】
【提出日】平成22年7月14日(2010.7.14)
【手続補正１】
【補正対象書類名】特許請求の範囲
【補正対象項目名】全文
【補正方法】変更
【補正の内容】
【特許請求の範囲】
【請求項１】
軸の周りに円筒対称的な少なくとも１つの光線案内部を備える装置であって、
前記少なくとも１つの光線案内部は、非点状物体から前記少なくとも１つの光線案内部の入射瞳に向かって放射される光線の少なくとも一部分を、事実上像に結像するように構成され、
さらに前記少なくとも１つの光線案内部は、
前記軸及び前記入射瞳の一部を含む断面に規定される平面の各々において、前記非点状物体から前記断面平面に沿って、該断面平面上且つ前記軸の一端上に位置する前記入射瞳の一部へと放射される前記光線のサブセットを、前記断面平面上の中間像へと結像し、
さらに前記少なくとも１つの光線案内部は、前記中間像からの前記光線の少なくとも一部を、前記断面平面上の断面像に結像するように構成され、ここで前記断面像は、前記断面平面の各々における前記像の断面に事実上一致しており、従って、ある前記断面平面における前記中間像は、別の前記断面平面における前記中間像とは互いに交差しない、
装置。
【請求項２】
前記少なくとも１つの光線案内部が：
前記光線の前記サブセットのいずれもが、前記少なくとも１つの光線案内部の入射瞳の断面と、前記断面平面上で前記軸に対して前記入射瞳の断面と同じ側にある射出瞳の断面との間で、前記軸を交差しないように構成される、
請求項１に記載の装置。
【請求項３】
前記少なくとも１つの光線案内部は、前記軸によって区切られる前記断面平面の半分部分において、前記入射瞳を前記射出瞳に実質的に結像するように構成される、請求項１に記載の装置。
【請求項４】
前記少なくとも１つの光線案内部は、前記非点状物体から前記少なくとも１つの光線案内部の前記入射瞳に向かって放射される実質的に全ての光線を前記像に結像するように構成される、請求項１に記載の装置。
【請求項５】
前記少なくとも１つの光線案内部は、前記入射瞳および前記射出瞳における共役点が、実質的に等しい距離分前記軸から離間するように構成される、請求項１に記載の装置。
【請求項６】
前記少なくとも１つの光線案内部は、前記非点状物体から前記像へ実質的に結像される任意の点が、その２乗平均平方根スポットサイズが前記像の平均直径より実質的に小さくなるように、前記像におけるスポットを形成するように構成される、請求項１に記載の装置。
【請求項７】
前記２乗平均平方根スポットサイズは、前記像の前記平均直径の４分の１よりも小さい、請求項６に記載の装置。
【請求項８】
前記非点状物体から前記入射瞳への平均距離が、前記非点状物体から前記軸への平均距離より実質的に大きくなるように、前記少なくとも１つの光線案内部が配置される、請求項１に記載の装置。
【請求項９】
前記非点状物体から前記入射瞳への前記平均距離が、前記非点状物体から前記軸への前記平均距離の少なくとも３倍である、請求項８に記載の装置。
【請求項１０】
前記光線は、紫外線波長および赤外線波長間の電磁放射の光線である、請求項１に記載の装置。
【請求項１１】
電磁放射の前記光線は、発光ダイオードから放射される光線である、請求項１０に記載の装置。
【請求項１２】
像形成システムの照射構成要素である、請求項１に記載の装置。
【請求項１３】
前記少なくとも１つの光線案内部は、前記入射瞳と、前記非点状物体の平均点に最近接している前記軸上の点との間を結ぶ少なくとも１つの線が、前記軸と３５度を上回る角度を形成するように配置される、請求項１に記載の装置。
【請求項１４】
前記少なくとも１つの光線案内部は、前記入射瞳と、前記非点状物体の平均点に最近接している前記軸上の点との間のあらゆる線が、前記軸と３０度を上回る角度を形成するように配置される、請求項１に記載の装置。
【請求項１５】
前記少なくとも１つの光線案内部は、光線毎に少なくとも３つの箇所において、該光線の少なくとも一部の伝播方向を次々に変更するように構成される、請求項１に記載の装置。
【請求項１６】
前記少なくとも１つの光線案内部は、光線毎に５つ以下の箇所において、該光線の少なくとも一部の伝播方向を次々に変更するように構成される、請求項１に記載の装置。
【請求項１７】
前記少なくとも１つの光線案内部は、前記非点状物体の平均点に最近接している前記軸上の点の周りで、少なくとも０．１ステラジアンの立体角に前記入射瞳が及ぶように配置される、請求項１に記載の装置。
【請求項１８】
回転対称軸の周りに円筒対称的な少なくとも１つの光線案内要素を備える装置であって、
前記少なくとも１つの光線案内要素は、非点状物体から前記少なくとも１つの光線案内要素の入射瞳に向かって放射される前記光線の少なくとも一部を事実上像に結像するように配され、
さらに前記少なくとも１つの光線案内要素は、前記少なくとも１つの光線案内要素の前記入射瞳を射出瞳に実質的に結像するように、ただし、前記入射瞳上の各点が、前記射出瞳上で、前記回転対称軸に事実上沿う方向の点の投影に各々結像されるように、構成され、
さらに前記少なくとも１つの光線案内要素は、前記入射瞳の事実上全ての点が前記物体からほぼ同一の距離にあるように配され、
さらに前記少なくとも１つの光線案内要素は、前記入射瞳から前記射出瞳へ結像される任意のメリジオナル光線（meridional ray）の経路が、前記入射瞳と前記射出瞳間との間で前記回転対称軸を交差しないように構成される、
装置。
【請求項１９】
前記少なくとも１つの光線案内要素は、前記非点状物体から前記少なくとも１つの光線案内要素の前記入射瞳に向かって放射される実質的に全ての光線を、事実上前記像に結像するように構成される、請求項１８に記載の装置。
【請求項２０】
前記少なくとも１つの光線案内要素は、前記非点状物体から前記像へ実質的に結像される任意の点が、その２乗平均平方根スポットサイズが前記像の平均直径より実質的に小さくなるように、前記像におけるスポットを形成するように配置される、請求項１８に記載の装置。
【請求項２１】
前記２乗平均平方根スポットサイズは、前記像の前記平均直径の４分の１よりも小さい、請求項１８に記載の装置。
【請求項２２】
前記非点状物体から前記入射瞳への平均距離が、前記物体から前記軸への平均距離より実質的に大きくなるように、前記少なくとも１つの光線案内要素が配置される、請求項１８に記載の装置。
【請求項２３】
前記非点状物体から前記入射瞳への前記平均距離は、前記非点状物体から前記軸への前記平均距離の少なくとも３倍の大きさである、請求項２２に記載の装置。
【請求項２４】
前記光線は、紫外線波長および赤外線波長間の電磁放射の光線である、請求項１８に記載の装置。
【請求項２５】
電磁放射の前記光線は、発光ダイオードから放射される光線である、請求項２４に記載の装置。
【請求項２６】
像形成システムの照射構成要素である、請求項１８に記載の装置。
【請求項２７】
前記少なくとも１つの光線案内要素は、前記入射瞳と、前記非点状物体の平均点に最近接している前記軸上の点との間の少なくとも１つの線が、前記軸と３５度を上回る角度を形成するように配置される、請求項１８に記載の装置。
【請求項２８】
前記少なくとも１つの光線案内要素は、前記入射瞳と、前記非点状物体の平均点に最近接している前記軸上の点との間のあらゆる線が、前記軸と３０度を上回る角度を形成するように配置される、請求項１８に記載の装置。
【請求項２９】
前記少なくとも１つの光線案内部は、光線毎に少なくとも５つ以下の箇所において、次々に、前記光線の前記少なくとも一部の伝播方向を変更するように構成される、請求項１８に記載の装置。
【請求項３０】
前記少なくとも１つの光線案内要素は、前記射出瞳の直径より小さい前記軸に沿った長さを有するように配置される、請求項１８に記載の装置。
【請求項３１】
前記少なくとも１つの光線案内部は、前記非点状物体の平均点に最近接している前記軸上の点の周りで、少なくとも３ステラジアンの立体角に前記入射瞳が及ぶように配置される、請求項１８に記載の装置。